(57)【特許請求の範囲】
【請求項１】
エレベータ改修時に既設エレベータの機器を新設するエレベータの機器に置き換える作業を要するエレベータ改修用機器設置方法であって、
前記既設エレベータの稼動を妨げない昇降路内の仮設置とする位置に前記新設するエレベータの機器を仮設置する仮設置ステップと、前記新設するエレベータの機器を前記仮設置とする位置から本設置とする位置に移設する本設置ステップと、を有し、
前記仮設置ステップでは、前記新設するエレベータの機器として、締結部材を用いて長穴を有する一方の部材に対して穿孔された他方の部材を締結することにより一体的に組み付けられる構造のブラケットを用いて前記新設するエレベータの機器を前記仮設置とする位置に仮設置し、
前記本設置ステップでは、前記ブラケットにおける前記一方の部材の前記長穴を利用して前記締結部材による締結を緩めて前記本設置とする位置に移設してから当該締結部材による締結を要して固定し、
更に、前記仮設置ステップで用いる前記ブラケットは、前記一方の部材が前記昇降路における壁側に取り付けられると共に、前記他方の部材がかごガイドレール側に配置されるかごガイドレール用ブラケットと、前記一方の部材が前記昇降路における壁側に取り付けられると共に、前記他方の部材が釣り合い重りガイドレール側に配置される釣り合い重りガイドレール用ブラケットと、を含み、当該かごガイドレール用ブラケット及び当該釣り合い重りガイドレール用ブラケットの何れについても、前記一方の部材は１枚の板状材が折り曲げられた形状で水平状態に維持される平坦部に前記長穴が設けられ、前記他方の部材は１枚の板状材における所定箇所に前記穿孔が設けられ、当該穿孔及び当該長穴を介して前記締結部材で締結することにより、当該一方の部材及び当該他方の部材が互いに固定される構造であることを特徴とするエレベータ改修用機器設置方法。
【請求項２】
請求項１記載のエレベータ改修用機器設置方法において、前記仮設置ステップでの前記新設するエレベータの機器の仮設置、並びに前記本設置ステップでの前記新設するエレベータの機器の本設置を前記既設のエレベータの乗りかご上を作業床として利用することを特徴とするエレベータ改修用機器設置方法。
【発明の詳細な説明】
【技術分野】
【０００１】
本発明は、エレベータ設備の改修（リニューアル）時に不稼動時間を短縮して改修を簡便に行うことができるエレベータ改修用機器設置方法に関する。
【背景技術】
【０００２】
従来、経年したエレベータ設備を改修する場合には、一般に既設のエレベータを撤去してから新設するエレベータを据え付ける工法が採用されている。ところが、こうした工法では、改修工事を行っている期間、既設のエレベータを使用できなくなるため、利用者側からは改修時のエレベータの不稼動時間を短縮する要求がなされている。
【０００３】
例えばエレベータ設備の一例である間接式の油圧エレベータは、昇降路内に立設されたプランジャー装置とこの装置の鉛直方向（上下方向）の伸縮を案内するプランジャーレールとを備え、プランジャー装置の頂部には回転シーブが設置され、回転シーブにはメインロープが巻き掛けられ、メインロープに一方の端部が乗りかごに固定され、メインロープの他方の端部が昇降路の底部にあるプランジャー装置下部のスタンドに固定された構造を持ち、プランジャー装置が上下に伸縮すると、それに連動して乗りかごが昇降する仕組みとなっている。
【０００４】
この間接式の油圧エレベータをロープ式エレベータに改修する場合、従来では既設の油圧エレベータにおけるプランジャー装置、プランジャーレール、配管、油圧ユニット等の機器を全て撤去した後、ロープ式エレベータの釣り合い重り、釣り合い重り用ガイドレール、及び巻上機を新設するようにしている。即ち、既設の油圧エレベータで使用していた機器を全て撤去してから新設するロープ式エレベータで使用する機器を新たに設置する方法が採用されている。
【０００５】
このようなエレベータの改修に係る周知技術としては、既設の油圧式エレベータ装置をロープ式エレベータ装置にする際の改修費用を低減させることができる「エレベータ装置の改修方法」（特許文献１参照）が挙げられる。
【先行技術文献】
【特許文献】
【０００６】
【特許文献１】特開２００６−３４７７２７号公報
【発明の概要】
【発明が解決しようとする課題】
【０００７】
上述した特許文献１の技術は、既設の油圧式エレベータ装置の乗りかごの後部からプランジャー装置等の油圧式エレベータ装置の機器を撤去することで昇降路内に新設するロープ式エレベータ装置の機器を設置するスペースを確保し、新設するロープ式エレベータ装置の機器であるメインロープ、綱車、薄型巻上機、釣り合い重り、かご吊り車等をその設置スベースに新規に設置することにより、既設の油圧式エレベータ装置をロープ式エレベータ装置に改修するものである。
【０００８】
しかしながら、特許文献１の技術によれば、改修後のロープ式エレベータ装置に対して、既設の油圧式エレベータ装置で使用していた乗りかご、かごガイドレール、かご緩衝器、かごドア、及び乗場ドアについては流用し、釣り合い重りレールについてはロープ式エレベータ装置の荷重に耐えられる新設レールに変えて支持させる（一般に、油圧式エレベータ装置に用いられているかごガイドレールは、ロープ式エレベータ装置に用いられるかごガイドレールと比べて小さい荷重にしか耐えられないものが使用されており、既設のかごガイドレールでは流用する既設の乗りかご、新設する釣り合い重り、新設するメインロープ等の荷重を支持することができない理由による）ため、既設のプランジャーレールの撤去作業と釣り合い重りレールの新設作業とが必須となっているが、プランジャーレールや釣り合い重りレールは何れも昇降路内の構造物中では長さが比較的長いものであり、撤去作業や新設作業には相当に手間や時間が掛かってしまうことにより、利用者側からの改修時のエレベータの不稼動時間を短縮化するという要求には応えられないという問題がある。
【０００９】
本発明は、このような問題点を解決すべくなされたもので、その技術的課題は、エレベータ改修時の不稼動時間を極力短縮化できるエレベータ改修用機器設置方法を提供することにある。
【課題を解決するための手段】
【００１０】
上記技術的課題を解決するため、本発明の基本構成は、エレベータ改修時に既設エレベータの機器を新設するエレベータの機器に置き換える作業を要するエレベータ改修用機器設置方法であって、既設エレベータの稼動を妨げない昇降路内の仮設置とする位置に新設するエレベータの機器を仮設置する仮設置ステップと、新設するエレベータの機器を仮設置とする位置から本設置とする位置に移設する本設置ステップと、を有し、仮設置ステップでは、新設するエレベータの機器として、締結部材を用いて長穴を有する一方の部材に対して穿孔された他方の部材を締結することにより一体的に組み付けられる構造のブラケットを用いて新設するエレベータの機器を仮設置とする位置に仮設置し、本設置ステップでは、ブラケットにおける一方の部材の長穴を利用して締結部材による締結を緩めて本設置とする位置に移設してから当該締結部材による締結を要して固定し、更に、仮設置ステップで用いるブラケットは、一方の部材が昇降路における壁側に取り付けられると共に、他方の部材がかごガイドレール側に配置されるかごガイドレール用ブラケットと、一方の部材が昇降路における壁側に取り付けられると共に、他方の部材が釣り合い重りガイドレール側に配置される釣り合い重りガイドレール用ブラケットと、を含み、当該かごガイドレール用ブラケット及び当該釣り合い重りガイドレール用ブラケットの何れについても、一方の部材は１枚の板状材が折り曲げられた形状で水平状態に維持される平坦部に長穴が設けられ、他方の部材は１枚の板状材における所定箇所に穿孔が設けられ、当該穿孔及び当該長穴を介して締結部材で締結することにより、当該一方の部材及び当該他方の部材が互いに固定される構造であることを特徴とする。
【発明の効果】
【００１１】
本発明のエレベータ改修用機器設置方法によれば、エレベータ改修時に既設エレベータの機器を新設するエレベータの機器に置き換える際、既設エレベータの稼動を妨げない昇降路内の仮設置とする位置に新設するエレベータの機器を仮設置した後、仮設置とする位置から本設置とする位置に移設するため、エレベータ改修時の不稼動時間を極力短縮化できるようになる。
【図面の簡単な説明】
【００１２】
【図１】本発明の実施例１に係るエレベータ改修用機器設置方法の技術的概要を説明するために既設の油圧式エレベータの機器と仮設置とする位置に配置された新設するロープ式エレベータの機器との配置関係を既設の乗りかごの上面方向から一部透視して示した平面図である。
【図２】図１に含まれる既設の油圧式エレベータの機器についての配置状態を既設の乗りかごの上面方向から一部透視して示した平面図である。
【図３】図１に含まれる新設するロープ式エレベータの機器についての配置状態を既設の乗りかごの上面方向から一部透視して示した平面図である。
【図４】図３に示した新設するロープ式エレベータの機器の要部である仮設置及び本設置に用いられる各種ブラケットを分解して示した斜視図であり、（ａ）はかごガイドレール用ブラケットの一例に関する図、（ｂ）はかごガイドレール用ブラケットの他例に関する図、（ｃ）は釣り合い重りガイドレール用ブラケットの一例に関する図、（ｄ）は釣り合い重りガイドレール用ブラケットの他例に関する図である。
【発明を実施するための形態】
【００１３】
以下に、本発明のエレベータ改修用機器設置方法について、実施例を挙げ、図面を参照して詳細に説明する。
【実施例１】
【００１４】
図１は、本発明の実施例１に係るエレベータ改修用機器設置方法の技術的概要を説明するために既設の油圧式エレベータの機器と仮設置とする位置に配置された新設するロープ式エレベータの機器との配置関係を既設の乗りかご１の上面方向から一部透視して示した平面図である。また、図２は、ここでの既設の油圧式エレベータの機器についての配置状態を既設の乗りかご１の上面方向から一部透視して示した平面図であり、図３は、ここでの新設するロープ式エレベータの機器についての配置状態を既設の乗りかご１の上面方向から一部透視して示した平面図である。更に、図４は、図３に示した新設するロープ式エレベータの機器の要部である仮設置及び本設置に用いられる各種ブラケットを分解して示した斜視図であり、同図（ａ）はかごガイドレール用ブラケットの一例に関する図、同図（ｂ）はかごガイドレール用ブラケットの他例に関する図、同図（ｃ）は釣り合い重りガイドレール用ブラケットの一例に関する図、同図（ｄ）は釣り合い重りガイドレール用ブラケットの他例に関する図である。
【００１５】
図１を参照すれば、本発明の実施例１に係るエレベータ改修用機器設置方法の技術的概要は、エレベータ改修時に既設エレベータである油圧式エレベータの機器を新設するエレベータであるロープ式エレベータの機器に置き換える際、既設エレベータの乗りかご１の稼動を妨げない昇降路８内の仮設置とする位置に新設するエレベータの機器を仮設置（例えば図１中のロープ式エレベータ用かごガイドレール１６ａ，１６ｂを仮設置時かごガイドレール位置１６ｃ、ロープ式エレベータ用釣り合い重りガイドレール１８ａ，１８ｂを仮設置時釣り合い重りガイドレール位置１７ａ，１７ｂに仮設置）する仮設置ステップと、新設するエレベータの機器を仮設置とする位置から本設置とする位置に移設（例えば図１中のロープ式エレベータ用かごガイドレール１６ａ，１６ｂを本設置時かごガイドレール位置１６ｄ、ロープ式エレベータ用釣り合い重りガイドレール１８ａ，１８ｂを本設置時釣り合い重りガイドレール位置１７ｃ，１７ｄに移設）する本設置ステップと、を有するものである。このような処理プロセスを実行すれば、新設するエレベータに係るレール等の機器を昇降路８内に仮設置した状態でも、既設のエレベータの乗りかご１を稼動させることができる上、エレベータ改修時の不稼動時間を極力短縮化できる。
【００１６】
但し、仮設置ステップでは、新設するエレベータの機器として、図４（ａ）〜（ｄ）に示されるように、ボルト、ナット、ワッシャを含む締結部材を用いて長穴を有する一方の部材に対して穿孔された他方の部材を締結することにより一体的に組み付けられる構造の各種ブラケットを用いて新設するエレベータの機器を仮設置とする位置に仮設置し、本設置ステップでは、各種ブラケットにおける一方の部材の長穴を利用して締結部材による締結を緩めて本設置とする位置に移設してから締結部材による締結を要して固定するものである。このようなブラケットを用いれば、仮設置した新設するエレベータに係るレール等の機器を分解することなく、本設置する本来の設置位置に移設することが可能になる。
【００１７】
各種ブラケットについて、具体的に云えば、図4（Ａ）に示すかごガイドレール用ブラケットの一例では、一方の部材である昇降路８の壁側に取り付けられるかごガイドレール用壁側ブラケット２１ｂと他方の部材であるかごガイドレール１６ｂ側に配置されるかごガイドレール用レール側ブラケット２０ｂとを組み付けた構造となっている。また、図４（ｂ）に示すかごガイドレール用ブラケットの他例では、一方の部材である昇降路８の壁側に取り付けられるかごガイドレール用壁側ブラケット２１ａと他方の部材であるかごガイドレール１６ａ側に配置されるかごガイドレール用レール側ブラケット２０ａとを組み付けた構造となっている。更に、図４（ｃ）に示す釣り合い重りガイドレール用ブラケットの一例では、一方の部材である昇降路８の壁側に取り付けられる釣り合い重りガイドレール用壁側ブラケット２３ｂと他方の部材である釣り合い重りガイドレール１８ｂ側に配置される釣り合い重りガイドレール用レール側ブラケット２２ｂとを組み付けた構造となっている。加えて、図４（ｄ）に示す釣り合い重りガイドレール用ブラケットの他例では、一方の部材である昇降路８の壁側に取り付けられる釣り合い重りガイドレール用壁側ブラケット２３ａと他方の部材である釣り合い重りガイドレール１８ａ側に配置される釣り合い重りガイドレール用レール側ブラケット２２ａとを組み付けた構造となっている。何れのブラケットについても、一方の部材は１枚の板状材が折り曲げられた形状で水平状態に維持される平坦部に長穴が設けられ、他方の部材は１枚の板状材における所定箇所に穿孔が設けられ、これらの穿孔及び長穴を介して締結部材で締結することにより、一方の部材及び他方の部材が互いに固定される構造となっている。
【００１８】
また、仮設置ステップでの新設するエレベータの機器の仮設置、並びに本設置ステップでの新設するエレベータの機器の本設置を既設のエレベータの乗りかご１上を作業床として利用することが好ましい。このように乗りかご１上を作業床として利用すれば、従来の手法で昇降路８内の高所で塔内設置機器の撤退作業や設置作業を行うための足場等を組んだりする必要があった手間を省くことができる。
【００１９】
何れにせよ、上述した実施例１に係るエレベータ改修用機器設置方法によれば、エレベータ改修時に既設エレベータの機器を新設するエレベータの機器に置き換える際、既設エレベータの稼動を妨げない昇降路内の仮設置とする位置に新設するエレベータの機器を仮設置した後、仮設置とする位置から本設置とする位置に移設するため、エレベータ改修時の不稼動時間を極力短縮化することができる。
【００２０】
以下には、各エレベータ設備の細部、並びに改修作業の手順を詳細に説明する。図２を参照すれば、既設の油圧式エレベータは、油圧ジャッキ９、かご下部吊り枠１０、ジャッキ上部綱車１１、ジャッキ上部綱車支持枠１１ａ、ジャッキガイドレール１２ａ，１２ｂ、ジャッキガイドレールブラケット１３ａ，１３ｂ等の駆動部が昇降路８内の乗りかごにおけるかごドア６や乗場ドア７と反対側の後方に設置されたバックプランジャ方式のものである。
【００２１】
このうち、油圧ジャッキ９は、略図するプランジャ及びシリンダを有すると共に、略図する油圧を発生させる油圧パワーユニットが油圧配管を介して接続された構造のものである。油圧パワーユニットは略図する油圧制御盤によって制御される。プランジャは、油圧パワーユニットからの油圧により上下方向に駆動されるもので、その上部にはジャッキ上部綱車支持枠１１ａを介してジャッキ上部綱車１１が取り付けられている。ジャッキ上部綱車１１は、油圧ジャッキ９の駆動力により昇降される。油圧ジャッキ９の両側には、ジャッキ上部綱車支持枠１１ａを介してジャッキ上部綱車１１を案内するための一対のジャッキガイドレールレール１２ａ，１２ｂが設置されている。ジャッキガイドレールレール１２ａ，１２ｂは、ジャッキガイドレールブラケット１３ａ，１３ｂを介して昇降路８に設置されている。ジャッキ上部綱車１１には、略図する複本の駆動用ロープが巻き掛けられている。
【００２２】
乗りかご１の下部には、乗りかご１の後部から後方へ突出するかご下部吊り枠１０が取り付けられている。かご下部吊り枠１０には、駆動用ロープの一端は接続されており、駆動用ロープの他端は昇降路８の下部に固定されており、これによって乗りかご１はジャッキ上部綱車１１の昇降に連動して昇降する仕組みとなっている。また、乗りかご１の両側面には、乗りかご１を支える油圧式エレベータ用かごガイドシュー１ａ，１ｂが取り付けられている他、油圧式エレベータ用かごガイドシュー１ａ，１ｂを介して乗りかご１の昇降を案内するための一対の油圧式エレベータ用かごガイドレール２ａ，２ｂが設置されている。油圧式エレベータ用かごガイドレール２ａ，２ｂは、油圧式エレベータ用かごガイドレールブラケット３ａ，３ｂを介して昇降路８に設置されている。更に、乗りかご１にはリミットスイッチカム１５が取り付けられ、昇降路８の上部と下部とにそれぞれ油圧式エレベータ用かごガイドレールブラケット３ａを介して設置されたリミットスイッチ１４をリミットスイッチカム１５が乗りかご１の最上部、最下部の昇降可能位置端で動作させることにより、それ以上の昇降動作を制限している。加えて、乗りかご１にはかご位置検出装置４が取り付けられており、このかご位置検出装置４が油圧式エレベータ用かごガイドレールブラケット３ｂを介して昇降路８に設置された遮蔽板５により動作することにより、乗りかご１のかごドア６についてのドア開閉可能位置の検出を行っている。その他、乗場に設けられて乗場の出入口を開閉するための乗場ドア７は、乗りかご１が乗場階に到着した際に乗りかご１の出入口を開閉するかごドア６と係合し、かごドア６に連動して開閉動作する。
【００２３】
次に、図２に示す既設の油圧式エレベータの機器を対象とし、図３に示す新設するロープ式エレベータ（機械室を必要としないタイプ）の機器に改修する場合について、各図を参照して説明する。こうした場合、図３を参照すれば、ロープ式エレベータ用かごガイドシュー１ｃ，１ｄ、ロープ式エレベータ用かごガイドレール１６ａ，１６ｂ、かごガイドレール用レール側ブラケット２０ａ，２０ｂ、かごガイドレール用壁側ブラケット２１ａ，２１ｂ、ロープ式エレベータ用釣り合い重りガイドレール１８ａ，１８ｂ、釣り合い重りガイドレール用レール側ブラケット２２ａ，２２ｂ、釣り合い重りガイドレール用壁側ブラケット２３ａ，２３ｂ、釣り合い重り２４、巻上機２５、駆動シープ２６、昇降路上部綱車２７、かご下綱車２８、釣り合い重り下部緩衝器２９、昇降路上部方向転換綱車３０、及び釣り合い重り綱車３１が昇降路８内に新設される。尚、かごドア６を含む乗りかご１、及び乗場ドア７は、新規品に交換せずに既設品を流用するものとする。
【００２４】
図１を参照すれば、既設の油圧式エレベータから新設するロープ式エレベータに改修する際、油圧式エレベータが設置されている昇降路８内にロープ式エレベータの機器として、ロープ式エレベータ用かごガイドレール１６ａ，１６ｂ、かごガイドレール用レール側ブラケット２０ａ，２０ｂ、かごガイドレール用壁側ブラケット２１ａ，２１ｂ、ロープ式エレベータ用釣り合い重りガイドレール１８ａ，１８ｂ、釣り合い重りガイドレール用レール側ブラケット２２ａ，２２ｂ、釣り合い重りガイドレール用壁側ブラケット２３ａ，２３ｂを仮設置とする位置に仮設置する。ここで、かごガイドレール用壁側ブラケット２１ａ，２１ｂ及び釣り合い重りガイドレール用壁側ブラケット２３ａ，２３ｂについては、図４（ａ）〜（ｄ）に示した構成のものを用いる。図４（ｂ）に示されるかごガイドレール用壁側ブラケット２１ａは、外形が台形状であって、両端の土台部に昇降路８に取り付けるための穴を有し、中央の頂部となる平坦部にかごガイドレール用レール側ブラケット２０ａを移設可能な状態で組み付けて設置するための長穴を持つ構造である。また、図４（ａ）に示されるかごガイドレール用壁側ブラケット２１ｂ、図４（ｃ）に示される釣り合い重りガイドレール用壁側ブラケット２３ｂ、並びに図４（ｄ）に示される釣り合い重りガイドレール用壁側ブラケット２３ａは、何れも外形がＬ字型アングル部材であって、鉛直方向に配置される一面に昇降路８に取り付けるための穴を有し、水平方向に折り曲げられた面にそれぞれかごガイドレール用レール側ブラケット２０ｂ、釣り合い重りガイドレール用レール側ブラケット２２ｂ、釣り合い重りガイドレール用レール側ブラケット２２ａを移設可能な状態で組み付けて設置するための長穴を持つ構造である。
【００２５】
そこで、これらの各種ブラケットである図４（ａ）、（ｂ）に示されるかごガイドレール用ブラケットと図４（ｃ）、（ｄ）に示される釣り合い重りガイドレール用ブラケットとを、図１に示されるように昇降路８内の油圧エレベータの機器を妨げない（干渉しない）壁面の位置に設置する。因みに、この状態では図１に示されるように、かごガイドレール用壁側ブラケット２１ａ，２１ｂと釣り合い重りガイドレール用壁側ブラケット２３ａ，２３ｂとを昇降路８の壁面に取り付けた後、それぞれ相手側となるかごガイドレール用レール側ブラケット２０ａ，２０ｂと釣り合い重りガイドレール用レール側ブラケット２２ａ，２２ｂとを締結部材を用いて組み付けた構造となる。
【００２６】
次に、設置したかごガイドレール用ブラケットのかごガイドレール用レール側ブラケット２０ａ，２０ｂに対してロープ式エレベータ用かごガイドレール１６ａ，１６ｂを仮設置し、釣り合い重りガイドレール用レール側ブラケット２２ａ，２２ｂに対してロープ式エレベータ用釣り合い重りガイドレール１８ａ，１８ｂを仮設置する。因みに、新設するロープ式エレベータの機器である各種ブラケットの仮設置作業や各種ガイドレールの仮設置作業は、上述したように既設のエレベータである油圧式エレベータの乗りかご１の天井を作業床として利用することによって、昇降路８内への作業用足場等を設置することなく実施することができる。上述した設置手順により、ロープ式エレベータ用かごガイドレール１６ａ，１６ｂは仮設置時における仮設置時かごガイドレール位置１６ｃに仮設置され、ロープ式エレベータ用釣り合い重りガイドレール１８ａは仮設置時釣り合い重りガイドレール位置１７ａ、ロープ式エレベータ用釣り合い重りガイドレール１８ｂは仮設置時釣り合い重りガイドレール位置１７ｂにそれぞれ仮設置される。
【００２７】
このように新設するロープ式エレベータの各種ブラケットや各種ガイドレールを既設の油圧エレベータの稼動を妨げない位置に仮設置すれば、既設の油圧エレベータを稼動させることが可能となり、ロープ式エレベータの各種ブラケットや各種ガイドレールを仮設置した後にも既設の油圧エレベータによるサービス（運転）を継続することができる。
【００２８】
以下は、新設するロープ式エレベータの釣り合い重り２４、巻上機２５、駆動シープ２６、昇降路上部綱車２７、かご下綱車２８、釣り合い重り下部緩衝器２９、昇降路上部方向転換綱車３０、及び釣り合い重り綱車３１を昇降路８内の本設置とする位置に移設する本設置作業の手順を説明する。
【００２９】
本設置作業では、まず油圧式エレベータの乗りかご１を最上部まで移動させた後、乗りかご１の天井を作業床として乗りかご１のかご上よりも上部に設置されている油圧式エレベータ用かごガイドレール２ａ，２ｂとジャッキガイドレール１２ａ，１２ｂとを撤去すると共に、かご上よりも上部に設置されているロープ式エレベータ用かごガイドレール１６ａ，１６ｂとかごガイドレール用レール側ブラケット２０ａ，２０ｂとを締結部材の締結を緩めた上でかごガイドレール用壁側ブラケット２１ａ，２１ｂに設けられている長穴を利用して本設置時かごガイドレール位置１６ｄに移設してから締結部材を締結することにより固定する。また、同様に乗りかご１のかご上よりも上部に設置されているロープ式エレベータ用釣り合い重りガイドレール１８ａ，１８ｂと釣り合い重りガイドレール用レール側ブラケット２２ａ，２２ｂとを締結部材の締結を緩めた上で釣り合い重りガイドレール用壁側ブラケット２３ａ，２３ｂに設けられている長穴を利用して本設置時釣り合い重りガイドレール位置１７ｃ，１７ｄに移設してから締結部材を締結することにより固定する。
【００３０】
上述した油圧式エレベータの油圧式エレベータ用かごガイドレール２ａ，２ｂ及びジャッキガイドレール１２ａ，１２ｂの撤去と、ロープ式エレベータ用かごガイドレール１６ａ，１６ｂ及びロープ式エレベータ用釣り合い重りガイドレール１８ａ，１８ｂの本設置とする位置への移設を完了した後、乗りかご１を降下させ、同様に既設の油圧式エレベータのガイドレールの撤去作業と新設するロープ式エレベータのガイドレールの本設置とする位置への移設作業とを実施し、乗りかご１が最下部（最下階）に到達するまでこれらの作業を繰り返す。
【００３１】
更に、乗りかご１が最下部（最下階）に到達した後、乗りかご１を分解してかごと同じ高さに設置されている油圧式エレベータ用かごガイドレール２ａ，２ｂとジャッキガイドレール１２ａ，１２ｂとを撤去すると共に、かごと同じ高さに仮設置されているロープ式エレベータ用かごガイドレール１６ａ，１６ｂとかごガイドレール用レール側ブラケット２０ａ，２０ｂとを締結部材の締結を緩めた上でかごガイドレール用壁側ブラケット２１ａ，２１ｂに設けられている長穴を利用して本設置時かごガイドレール位置１６ｄに移設してから締結部材を締結することにより固定する。また、同様に乗りかご１のかごと同じ高さに仮設置されているロープ式エレベータ用釣り合い重りガイドレール１８ａ，１８ｂと釣り合い重りガイドレール用レール側ブラケット２２ａ，２２ｂとを締結部材の締結を緩めた上で釣り合い重りガイドレール用壁側ブラケット２３ａ，２３ｂに設けられている長穴を利用して本設置時釣り合い重りガイドレール位置１７ｃ，１７ｄに移設してから締結部材を締結することにより固定する。
【００３２】
以上の作業を完了することにより、既設の油圧式エレベータの油圧式エレベータ用かごガイドレール２ａ，２ｂ及びジャッキガイドレール１２ａ，１２ｂは昇降路８内から全て撤去され、ロープ式エレベータ用かごガイドレール１６ａ，１６ｂ及びかごガイドレール用レール側ブラケット２０ａ，２０ｂは全て本設置とする位置に移設されて固定された状態となる。係る作業の後は、汎用的に実施されている油圧式エレベータの改修手法の場合と同様に、昇降路８内に設置されている油圧ジャッキ９、かご下部吊り枠１０、ジャッキ上部綱車１１、ジャッキ上部綱車支持枠１１ａ、ロープ等の油圧式エレベータの機器を昇降路８内から撤去し、ロープ式エレベータの釣り合い重り２４、巻上機２５、駆動シープ２６、昇降路上部綱車２７、釣り合い重り下部緩衝器２９、昇降路上部方向転換綱車３０、及び釣り合い重り綱車３１を昇降路８内に搬入して設置した後、乗りかご１を組み立ててからかご下綱車２８を設置してロープを各機器に掛ける作業を行い、ロープ式エレベータへの改修作業が完了する。
【００３３】
尚、上述した実施例１では、説明を簡単にするために１つの昇降路８内を１台の乗りかご１が昇降する１系統のエレベータ設備の場合について説明したが、昇降路８が並設されてそれぞれ乗りかご１が昇降する多系統のエレベータ設備の場合にも同様に適用できるので、本発明のエレベータ改修用機器設置方法は実施例１で開示し、説明した形態のものに限定されない。
【符号の説明】
【００３４】
１  乗りかご
１ａ，１ｂ  油圧式エレベータ用かごガイドシュー
１ｃ，１ｄ  ロープ式エレベータ用かごガイドシュー
２ａ，２ｂ  油圧式エレベータ用かごガイドレール
３ａ，３ｂ  油圧式エレベータ用かごガイドレールブラケット
４  かご位置検出装置
５  遮蔽板
６  かごドア
７  乗場ドア
８  昇降路
９  油圧ジャッキ
１０  かご下部吊り枠
１１  ジャッキ上部綱車
１１ａ  ジャッキ上部綱車支持枠
１２ａ，１２ｂ  ジャッキガイドレール
１３ａ，１３ｂ  ジャッキガイドレールブラケット
１４  油圧式エレベータ用リミットスイッチ
１５  油圧式エレベータ用リミットスイッチカム
１６ａ，１６ｂ  ロープ式エレベータ用かごガイドレール
１６ｃ  仮設置時かごガイドレール位置
１６ｄ  本設置時かごガイドレール位置
１７ａ，１７ｂ  仮設置時釣り合い重りガイドレール位置
１７ｃ，１７ｄ  本設置時釣り合い重りガイドレール位置
１８ａ，１８ｂ  ロープ式エレベータ用釣り合い重りガイドレール
２０ａ，２０ｂ  かごガイドレール用レール側ブラケット
２１ａ，２１ｂ  かごガイドレール用壁側ブラケット
２２ａ，２２ｂ  釣り合い重りガイドレール用レール側ブラケット
２３ａ，２３ｂ  釣り合い重りガイドレール用壁側ブラケット
２４  釣り合い重り
２５  巻上機
２６  駆動シープ
２７  昇降路上部綱車
２８  かご下綱車
２９  釣り合い重り下部緩衝器
３０  昇降路上部方向転換綱車
３１  釣り合い重り綱車
【図１】
0005806166.tif 000002
【図２】
0005806166.tif 000003
【図３】
0005806166.tif 000004
【図４】
0005806166.tif 000005